(57)【要約】【課題】  便器本体の公差が大きくてもジャストフィットさせて、ガタつくことなく便器本体に取り付けできる補高便座の取付構造を提供する。【解決手段】  便器本体１の上面に取り付けられる補高便座２に薄板状の係合部材６ａを固定し、この係合部材６ａの弾性片８を便器本体のリブ１ａの内周面に弾着させ、係合部材６ａの引っ掛かり部９をリブ１ａの下面に引っ掛けて、ガタつくことなく補高便座２を便器本体１に取り付ける。【選択図】  図２
2006305019.tif 000002
【特許請求の範囲】
【請求項１】
便器本体の上面に取り付けられる補高便座であって、該補高便座に薄板状の係合部材を固設し、該係合部材を前記便器本体の上面内周のリブに係合させるように構成したことを特徴とする補高便座の取付構造。
【請求項２】
前記係合部材が、前記便器本体のリブに広い範囲で接触する帯状に形成されていることを特徴とする請求項１に記載の補高便座の取付構造。
【請求項３】
前記係合部材には、前記便器本体のリブに弾着可能にバネ弾性が付与されていることを特徴とする請求項１または請求項２に記載の補高便座の取付構造。
【請求項４】
前記係合部材には、前記便器本体のリブ下面に引っ掛かる引っ掛かり部が形成されていることを特徴とする請求項１または請求項２に記載の補高便座の取付構造。
【請求項５】
前記係合部材が、クッション性のある軟質素材で形成されていることを特徴とする請求項１または請求項２に記載の補高便座の取付構造。
【発明の詳細な説明】
【技術分野】
【０００１】
本発明は、便器本体の上面に補高便座を取り付ける取付構造に関するものである。
【背景技術】
【０００２】
老人等が便器への立ち座りを楽に行えるように、便器本体と便座間に嵩上げ用に補高便座を取り付けた構造のものが存在し、補高便座は便座とともに１本の長いボルトによって便器本体に固定されているため、使用により緩み，ガタが発生し易いという問題点があり、横ズレを防ぐために、例えば特許文献１に開示されているように、補高便座の裏面の内周部全周に内周突起部を設け、この内周突起部を便器本体のリブに固定した構造のものが存在する。
【特許文献１】特開２００３−２６５３６４号公報
【発明の開示】
【発明が解決しようとする課題】
【０００３】
便器本体は陶器製であり、焼成時等に生ずる公差が大となるものであるが、これに対し特許文献１に開示されているように、補高便座に一体状に内周突起部を設けて、横ズレを防ごうとしても、便器本体側の公差により、内周突起部を上手く便器本体のリブに装着できない場合が多く、結局、ガタ，緩みが生じ易いという問題点があった。
【課題を解決するための手段】
【０００４】
本発明は上記従来の問題点に鑑み案出したものであって、公差の大なる便器本体に対し、ジャストフィットさせてガタの生じない状態に補高便座を取り付けることのできる取付構造を提供するものであり、その請求項１は、便器本体の上面に取り付けられる補高便座であって、該補高便座に薄板状の係合部材を固設し、該係合部材を前記便器本体の上面内周のリブに係合させるように構成したことである。
【０００５】
また請求項２は、前記係合部材が、前記便器本体のリブに広い範囲で接触する帯状に形成されていることである。
【０００６】
また請求項３は、前記係合部材には、前記便器本体のリブに弾着可能にバネ弾性が付与されていることである。
【０００７】
また請求項４は、前記係合部材には、前記便器本体のリブ下面に引っ掛かる引っ掛かり部が形成されていることである。
【０００８】
また請求項５は、前記係合部材が、クッション性のある軟質素材で形成されていることである。
【発明の効果】
【０００９】
本発明の補高便座の取付構造は、補高便座に薄板状の係合部材を固設し、係合部材を便器本体の上面内周のリブに係合させるように構成したことにより、薄板状の係合部材を用いて、陶器製の便器本体に対し、補高便座をジャストフィットさせて取り付けることができ、ガタつき，緩み等のない状態に補高便座を取り付けできるものとなる。
【００１０】
また、係合部材が、便器本体のリブに広い範囲で接触する帯状に形成されていることにより、帯状に形成して広い範囲で係合部材をリブに弾着させて、フィット性を向上させ、ガタつきを防ぐことができるものとなる。
【００１１】
また、係合部材には、便器本体のリブに弾着可能にバネ弾性が付与されていることにより、係合部材が便器本体のリブに弾着されるため、便器本体の公差を良好に吸収して、ガタつきのない状態に補高便座を取り付けできるものとなる。
【００１２】
また、係合部材には、便器本体のリブ下面に引っ掛かる引っ掛かり部が形成されていることにより、係合部材の引っ掛かり部が便器本体のリブ下面に引っ掛かり、これにより上下方向のフィット性が向上し、上下方向のガタつきを無くして、補高便座を取り付けできるものとなる。
【００１３】
また、係合部材が、クッション性のある軟質素材で形成されていることにより、軟質素材で係合部材を形成させることで、良好な弾性及びクッション性が得られて、良好に係合部材を便器本体のリブに接触させて、ガタつきを防ぐことができ、便器本体に対し良好にフィットさせて、補高便座を装着できるものとなる。
【実施例】
【００１４】
以下、本発明の実施例を図面に基づいて説明する。
図１は、補高便座の取付配置構成図であり、便器本体１の上面に内側へ突出して形成されているリブ１ａの上面側に、補高便座２が取り付けられ、この補高便座２の上面に、通常の便座３が設置されて、便座３の高さが補高便座２により嵩上げされるものである。
このような補高便座２を便器本体１に対し、ガタつくことなくジャストフィットさせて取り付けるために、例えば図２の要部縦断面構成図、及び図３の要部斜視構成図で示すような係合部材が用いられるものである。
【００１５】
図２及び図３で示す係合部材は、図４の平面構成図で示すように、横方向に延びる帯状に、薄板状のクッション性のある軟質素材や金属材で形成されており、左右に、前方から後方側に延びる帯状の側部係合部材６ａ，６ａが設けられ、前部には、湾曲状に帯状に延びる前部係合部材６ｂが設けられ、後部には。左右方向に帯状に延びる後部係合部材６ｃが設けられ、この４本の係合部材６ａ，６ａ，６ｂ，６ｃを用いて、便器本体１に補高便座２がジャストフィットされて、ガタの生じない状態に装着されるものである。
【００１６】
例えば、図２及び図３では、側部係合部材６ａを例示しており、この係合部材６ａは、水平状の固定片７の外端から垂下状に弾性片８が形成され、弾性片８の下端で水平状に外側へ折り曲げられた引っ掛かり部９が一体化されており、固定片７には、左右方向に長い長孔１０が形成されている。
この長孔１０内に下方よりビス５を通し、固定片７の上面に複数枚のスペーサー（クッション）４を介在させて、このスペーサー（クッション）４の枚数を調整することにより、便器本体１のリブ１ａの下面に、係合部材６ａの引っ掛かり部９が弾着されるように調整して、ビス５を補高便座２に締め付けて、ビス５により係合部材６ａを予め補高便座２に固定しておく。
【００１７】
なお、その際、長孔１０を介して、係合部材６ａの左右方向位置を調整して、係合部材６ａの弾性片８がリブ１ａの内周面に弾着できるように調整しておく。
このようにして、補高便座２に、側部係合部材６ａ，６ａ、前部係合部材６ｂ及び後部係合部材６ｃを、ビスでそれぞれ固定しておき、その状態で、補高便座２を便器本体１のリブ１ａの上面より差し込むと、係合部材６ａは薄板状に形成されているため、良好に弾性片８が弾力性で撓み、リブ１ａの下側に引っ掛かり部９が弾着された状態では、リブ１ａの内周側に弾性片８が弾着されて、左右方向及び上下方向のガタつきが無くなり、良好なフィット性が得られて補高便座２が便器本体１に取り付けられるものである。
【００１８】
なお、便器本体１は陶器製であるため、製品１個毎に寸法誤差が生じており、そのような寸法誤差に対応させて、係合部材６ａの補高便座２に対する取付位置を長孔１０及びスペーサー４で調整して、それぞれの便器本体１に対して良好にジャストフィットできるように取り付けできるものとなる。
【００１９】
次に、図５の縦断面図で、また図６の斜視図で示すものは変更例であり、図５及び図６では、断面Ｌ字状に形成した係合部材６ａは、スペーサー４を介在させて、ビス５を締め付けることで補高便座２に固定される固定片７から、垂下状に弾性片８が一体形成されており、固定片７には左右方向に長い長孔１０ａが形成され、また弾性片８には上下方向に長い長孔１１が形成されている。
この長孔１１内に別のビス５ａを入れて、このビス５ａで弾性片８に引っ掛かり部材１２を固定できるように構成されている。
引っ掛かり部材１２は、水平方向に帯状に延びて断面Ｌ字状に形成されており、弾性片８に当接状にビス５ａで固定される固定部１２ａの上端に、外方向へ水平状に延びて引っ掛かり部１２ｂが形成されたものである。
【００２０】
図５及び図６の構成では、長孔１１を介して引っ掛かり部１２ｂの上下高さを調整して、ジャストフィットする位置に、予めビス５ａで引っ掛かり部材１２を固定させておくことができ、また、長孔１０を介して、係合部材６ａの弾性片８が便器本体のリブ１ａの内周に弾着する位置に、予め調整しておくことができ、長孔１１による上下方向の調整代が充分でない場合には、スペーサー４を用いて上下方向の位置を調整できるものである。
このように、予め長孔１０で左右方向の位置を調整し、長孔１１で上下方向の位置を調整して、便器本体１のリブ１ａの内周面に弾性片８が弾着するように、また引っ掛かり部１２ｂがリブ１ａの下面に弾着するように調整しておき、係合部材６ａ及び引っ掛かり部材１２を用いて、補高便座２を便器本体１のリブ１ａに、ガタつくことなく取り付けできるものとなる。
【００２１】
次に、図７の縦断面図で、図８の要部斜視図で示すものは、更に異なる変更例であり、本例では、係合部材６ａは、固定片７と弾性片８と、弾性片８の下端から外側へ向かって湾曲状に上傾して引っ掛かり部９が形成されたものである。
この引っ掛かり部９は、湾曲状に外側へ上傾しているため、便器本体１のリブ１ａの下面に、弾力性により上下方向に撓んで強固に当接することができるものであり、しかも、このような形状の引っ掛かり部９であれば、補高便座２に予め係合部材６ａをビス５で固定させた後に、便器本体１のリブ１ａの内側に上方側から係合部材６ａを差し込む際に、弾性片８が内側に撓み、且つ引っ掛かり部９も撓みを生じて良好に下方側に移動し、リブ１ａの下面側に達した状態で、外側へ弾力性で突出することができ、上方側から押し込んで、良好にジャストフィットさせて、補高便座２をガタつくことなく取り付けできるものとなり、取付作業がより容易なものとなる。
なお、弾性片８をリブ１ａの内周面と当接状態とさせるために、前述した如く、長孔１０により左右方向の位置を調整できるものである。
【００２２】
次に、図９の縦断面図で示すものは、更に異なる変更例であり、図９では、係合部材に、固定片７と垂下状の弾性片８と、弾性片８の下端から外方向へ水平状に延びる引っ掛かり部９が形成され、更に引っ掛かり部９の外端側から湾曲状に垂下してバネ片１３が一体形成されたものであり、このバネ片１３は便器本体１の鉢面内周に弾着できるように構成しておけば、バネ片１３が便器本体１の鉢面に当接し、引っ掛かり部９がリブ１ａの下面に弾性で引っ掛かり、またリブ１ａの内周面に弾性片８が弾着されることで、よりガタつきのない強固な補高便座２の取付構造が得られるものとなる。
【００２３】
更に図１０に示す変更例では、係合部材６ａは、固定片７から垂下状に弾性片８が一体形成され、弾性片８の下端から湾曲状に上傾して、便器本体１の鉢面に弾着し得る引っ掛かり部９が一体形成されており、この引っ掛かり部９の上端は、リブ１ｂの下面に当接できるように構成したものである。
このような断面形状の係合部材６ａを用いることにより、補高便座２に予め係合部材６ａを固定させておけば、係合部材６ａをリブ１ａの内周側に差し込んでゆく際に、良好に弾性片８及び引っ掛かり部９が内側へ撓んで、差込作業が容易なものとなり、引っ掛かり部９は、便器本体１の鉢面上端側内周に当接し、しかもリブ１ａの下面に引っ掛かることとなり、また弾性片８がリブ１ａの内周面に弾着されて、左右及び上下にガタつくことなく、強固に補高便座２を便器本体１に取り付けできるものとなる。
【００２４】
更には、図１１及び図１２の断面図で示すような断面形状の係合部材６ａを用いることもでき、図１１の係合部材では、弾性片８の下端側に外側へ突出して楔状の引っ掛かり部９が一体形成されたものであり、この引っ掛かり部９が、リブ１ａの下面に引っ掛けられて、上下方向のガタつきを無くすることができ、しかも取付作業が容易なものとなる。
【００２５】
図１２に示す係合部材６ａでは、弾性片８の下端に略断面四角形状の引っ掛かり部９が一体形成されたものであり、この引っ掛かり部９が、便器本体のリブ１ａの下面に引っ掛けられるものであり、引っ掛かり部９により上下方向のガタつきが無くなり、また弾性片８がリブ１ａの内周に弾着して、左右方向のガタつきが無くなり、ジャストフィット状態でズレ及びガタつきなく補高便座２が便器本体１に取り付けられるものである。
【００２６】
なお、図１３に示すように、便器１のリブ１ａの上方に位置する補高便座２の下面に、上方へ凹んだ凹部２ａを形成させておき、この凹部２ａに断面略コの字状の係合部材６ａをビス５で固定しても良い。
即ち、係合部材６ａの固定片７がビス５で凹部２ａ内に固定され、固定片７から垂下する弾性片８がリブ１ａの内側に配置され、弾性片８の下端から固定片７と平行状に略水平に延びる引っ掛かり部９がリブ１ａの下面の下方に配置される。
このような構造では、補高便座２にはリブ１ａの上方に凹部２ａが形成されており、この凹部２ａに固定される係合部材６ａの固定片７は、リブ１ａの上面側に配置されるため、補高便座２の幅寸法ａを短くすることができるものとなる。
【図面の簡単な説明】
【００２７】
【図１】便器本体と便座間に設けられる補高便座の配置構成図である。
【図２】補高便座を便器本体に固定する係合部材の縦断面構成図である。
【図３】図２の係合部材の斜視構成図である。
【図４】係合部材を左右及び前後に設けて補高便座を便器上面に取り付けた状態の平面構成図である。
【図５】係合部材及び引っ掛かり部材の変更例の縦断面構成図である。
【図６】図５の係合部材及び引っ掛かり部材の斜視構成図である。
【図７】更に異なる係合部材の変更例の縦断面構成図である。
【図８】図７の係合部材の斜視構成図である。
【図９】更に異なる係合部材の変更例を示す縦断面構成図である。
【図１０】更に異なる係合部材の変更例を示す縦断面構成図である。
【図１１】更に異なる係合部材の変更例を示す縦断面構成図である。
【図１２】更に異なる係合部材の変更例を示す縦断面構成図である。
【図１３】更に異なる係合部材の変更例を示す縦断面構成図である。
【符号の説明】
【００２８】
１  便器本体
１ａ  リブ
２  補高便座
３  便座
４  スペーサー（クッション）
５，５ａ  ビス
６ａ  側部挟み込み部
６ｂ  前部係合部材
６ｃ  後部係合部材
７  固定片
８  弾性片
９  引っ掛かり部
１０  長孔
１１  長孔
１２  引っ掛かり部材
１２ａ  固定部
１２ｂ  引っ掛かり部
１３  バネ片
【図１】
2006305019.tif 000003
【図２】
2006305019.tif 000004
【図３】
2006305019.tif 000005
【図４】
2006305019.tif 000006
【図５】
2006305019.tif 000007
【図６】
2006305019.tif 000008
【図７】
2006305019.tif 000009
【図８】
2006305019.tif 000010
【図９】
2006305019.tif 000011
【図１０】
2006305019.tif 000012
【図１１】
2006305019.tif 000013
【図１２】
2006305019.tif 000014
【図１３】
2006305019.tif 000015